(57)【要約】      （修正有）【課題】実際の銃と類似の反動を模擬できる様にした玩具銃の気体推進構造を提供する。【解決手段】外スリーブ１１は、玩具銃の滑動スリーブ内に取り付けられる。内インフレータ１２は、外スリーブ内部に設置され、内インフレータは、中空であり、内部に収容空間を有し、且つ内インフレータ前端に開孔１２１を設け、側辺に吸気孔１２２を設ける。負圧可調システム１３は、内インフレータの収容空間内に設けられ、負圧可調システムは、気流調整つまみ、気流調整螺子及び定位バネを有し、且つ内インフレータ前端の開孔を前端に定義し、前から後へ順に定位バネ１３３、気流調整つまみ１３１及び気流調整螺子１３２に配列する。これにより、外スリーブが内インフレータを被覆する方式によりシリンダの断面積を増大し、使用時の反動を向上させ、玩具銃の操作時の感覚を更に迫真なものにする。【選択図】図２
0003182341.tif 000002
【実用新案登録請求の範囲】
【請求項１】
玩具銃の滑動スリーブ内に取り付けて使用し、
玩具銃の滑動スリーブ内に取り付けられる外スリーブと、
該外スリーブ内部に設置される内インフレータであり、該内インフレータは、中空であり、内部に収容空間を有し、且つ該内インフレータ前端に開孔を設け、側辺に吸気孔を設ける内インフレータと、
内インフレータの収容空間内に設けられる負圧可調システムであり、該負圧可調システムは、気流調整つまみ、気流調整螺子及び定位バネを有し、且つ該内インフレータ前端の開孔位置を前端に定義し、前から後へ順に定位バネ、気流調整つまみ及び気流調整螺子に配列する負圧可調システムと、
を含む玩具銃の気体推進構造。
【請求項２】
前記外スリーブ二側に対応する貫通孔を貫通設置し、該貫通孔は、それぞれ挿入ピンを設ける請求項１に記載の玩具銃の気体推進構造。
【請求項３】
前記挿入ピンの前端が該内インフレータに貫通設置され、該内インフレータを固定及び位置限定させる請求項２に記載の玩具銃の気体推進構造。
【請求項４】
前記外スリーブ及び該負圧可調システムの間に更にバネを接続して設ける請求項１に記載の玩具銃の気体推進構造。
【考案の詳細な説明】
【技術分野】
【０００１】
本考案は、玩具銃の気体推進構造の技術に関し、特に、玩具銃の滑動スリーブに応用し、シリンダの断面積を増大させ、シリンダのガス含有量を向上させ、実際の銃の反動を模擬することができ、玩具銃に後退の動作をもたせ、全体的により現実的にさせる玩具銃の気体推進構造に関する。
【背景技術】
【０００２】
一般のサバイバルゲーム（War Game）で使用する玩具銃は、プレイヤープラスチックの弾又はその他の材質の弾（又はBB弾と称される）を撃発させることができる。サバイバルゲームは、迫真の戦闘時の場景を模擬し、競技を進行させる屋外活動であり、一定の安全な規則において、ゲームプレイヤーは、何れも実際の状況をできる限り模擬し、それは、プレイヤーが使用する銃及びその他の関連装備を含む。
【０００３】
玩具銃は、連続発射でき、迫真の模擬効果を有するので、プレイヤーの寵愛を受け、且つ遊び方も多様であり、例えば、野外戦、市街戦等である。どの種のゲームであるかに関わらず、使用者に迫真の感覚を与えることができて始めて十分に楽しませることができる。従来のBB弾玩具銃の気体推進構造は、外スリーブ（俗称：航空機座席）気流調節装置及びシリンダを含み、撃発する時、気体が先ず外スリーブ中に進入し、更に、進入した気体を利用し、BB弾銃を推進した後、内部の気流調節装置を介し、内部のシリンダを押し動かし、後ろ向きに移動させ、この種の構造及び方式により射撃時に発生する反動及び震動の効果を模擬する。しかしながら、この種の構造は、しばしばシリンダの容量の制限を受け、比較的大きな反動及び震動を発生させることができるので、撃発時、明らかに迫真さに欠き、従って、プレイヤーを十分に楽しませることができない。
【０００４】
従って、如何に撃発時の反動及び震動効果を向上し、玩具銃を使用させる時、プレイヤーに実際の銃のような反動及び震動を感じさせ、玩具銃撃発時の迫真効果を向上させるかが、本考案が積極的に開示を欲するところである。
【先行技術文献】
【特許文献】
【０００５】
【特許文献１】特開２０１１−２３１９７９号公報
【考案の概要】
【考案が解決しようとする課題】
【０００６】
本考案の目的は、玩具銃を撃発時、実際の銃の反動及び震動を模擬できるようにし、更に大きな反動及び後退動作を発生させ、使用者の動作時に更に迫真の感覚を持たせる玩具銃の気体推進構造を提供することにある。
【０００７】
本考案のもう１つ目的は、全体の構造が単純で、製造コストを低減し、実用性を向上させる玩具銃の気体推進構造を提供することにある。
【課題を解決するための手段】
【０００８】
上記の目的を達成する為、本考案が提供する玩具銃の気体推進構造は、玩具銃の滑動スリーブ内に取り付けて使用し、外スリーブ、内インフレータ及び負圧可調システムを含む。外スリーブは、玩具銃の滑動スリーブ内に取り付けられる。内インフレータは、外スリーブ内部に設置され、内インフレータは、中空であり、内部に収容空間を有し、且つ内インフレータ前端に開孔を設け、側辺に吸気孔を設ける。負圧可調システムは、内インフレータの収容空間内に設けられ、負圧可調システムは、気流調整つまみ、気流調整螺子及び定位バネを有し、且つ内インフレータ前端の開孔位置を前端に定義し、前から後へ順に定位バネ、気流調整つまみ及び気流調整螺子に配列する。
【０００９】
好適実施例において、外スリーブ二側に対応する貫通孔を貫通設置し、貫通孔は、それぞれ挿入ピンを設ける。挿入ピンの前端が内インフレータに貫通設置され、該内インフレータを固定及び位置限定させる。外スリーブ及ぶ負圧可調システムの間に更にバネを接続して設ける。
【考案の効果】
【００１０】
従来に比較して、本考案の玩具銃の気体推進構造は、主に外スリーブを利用し、内インフレータを被覆し、内インフレータ内部に更に負圧可調システムを設置し、内インフレータの断面積を増大し、ガス含有量を増加させることができる以外に、更に、気体を内インフレータに進入させた後、負圧可調システムにより外スリーブを推進し、後ろ向きに移動させ、実際の銃の反動動作を模擬し、震動時のパワーを向上させ、玩具銃撃発時を更に迫真なものにする。
【図面の簡単な説明】
【００１１】
【図１】本考案の玩具銃の気体推進構造の好適実施例の立体分解図である。
【図２】本考案の玩具銃の気体推進構造の好適実施例のもう1つの角度からの立体分解図である。
【図３】本考案の玩具銃の気体推進構造の好適実施例の立体組み合わせ図である。
【考案を実施するための形態】
【００１２】
以下に特定の具体的実施例により本考案の実施方式を説明し、当業者が本発明の開示する内容から本考案のその他の利点及び効果を容易に理解できるようにする。
【００１３】
以下に図面を参照し、本考案の実施例を説明し、注意すべき点として、図面は、簡化した説明図であり、説明方式により本考案の基本構造を説明するだけであり、各図面中に本考案と関連する構造を例示するが、実際の実施時の部材の数、形状及び寸法を描くものではなく、その実際の実施時の各部材の形態、数量及び比率は、図面により限定するものではなく、実際の設計の要求に応じて変化させることが可能である。
【００１４】
先ず、図１、図２及び図３を参照し、それは、本考案の玩具銃の気体推進構造の好適実施例の立体分解図、他の角度からの立体分解図及び立体組み合わせ図である。図に示すように、本考案の玩具銃の気体推進構造１は、玩具銃の滑動スリーブ内に取り付けて使用される。玩具銃の気体推進構造１は、外スリーブ１１、内インフレータ１２及び負圧可調システム１３を含む。
【００１５】
外スリーブ１１は、一般玩具銃又はBB弾銃の滑動スリーブ（図示せず）内に取り付けられ、外スリーブ１１二側に対応する貫通孔１１１を貫通設置し、貫通孔１１１は、それぞれ挿入ピン１１２を設ける。
【００１６】
内インフレータ１２は、外スリーブ１１内部に設置され、内インフレータ１２は、中空であり、内部に収容空間１２０を有し、且つ内インフレータ１２前端に開孔１２１を設け、側辺に吸気孔１２２を設ける。
【００１７】
負圧可調システム１３は、内インフレータ１２の収容空間１２０内に設けられ、負圧可調システム１３は、気流調整つまみ１３１、気流調整螺子１３２及び定位バネ１３３を有し、且つ内インフレータ１２前端の開孔１２１を前端に定義し、前から後へ順に定位バネ１３３、気流調整つまみ１３１及び気流調整螺子１３２を配列する。また、外スリーブ１１及び負圧可調システム１３の間に更にバネ１１３を接続して設ける。
【００１８】
上記構造により、組み立て時、先ず、負圧可調システム１３を組み立てた後、内インフレータ１２の収容空間１２０内に置き、負圧可調システム１３を設けた内インフレータ１２を外スリーブ１１内に置き、２つの挿入ピン１１２を利用し、内インフレータ１２を固定及び位置限定し、全体の組み立てを完成する。実際の使用時、使用者は、玩具銃撃発の動作を行うと、気体は、吸気孔１２２から内インフレータ１２  の収容空間１２０内に進入し、内部負圧可調システム１３の設置及び構造特性によって、負圧可調システム１３を動作させ、それと接続する外スリーブ１１を押し動かし、外スリーブ１１に後ろ向きに移動する動作を発生させ、実際の銃を模擬した反動を発生する。また、外スリーブ１１は、内インフレータ１２  の収容空間の構造設計を被覆し、機構中のシリンダの断面積を増大させ、内部気体総容量を増加することができ、撃発時に震動力を強化することができ、即ち、実際の銃の反動及び震動を模擬し、プレイヤーをより楽しませることができる。
【００１９】
また、本考案の玩具銃の気体推進構造１は、未来の関連規格の製品を取り付け使用させることができる以外に、従来のBB弾銃に使用させることもでき、従来のBB弾銃の推進構造を改良し、従来のBB弾銃の飛行距離及び発射力を向上させることもできる。
【００２０】
従来の構造に比較し、本考案の玩具銃の気体推進構造は、外スリーブが内インフレータを被覆する方式により機構中のインフレータの断面の直径を増加し、シリンダの総容量を向上させ、撃発時に内部の負圧可調システムを介し、より大きな反動及び震動を発生し、実際の銃の感覚を模擬し、プレイヤーを楽しませることができる。更に、全体の構造が単純で、製造コストを低減させ、全体の実用性を向上することができる。
【００２１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２２】
１  玩具銃の気体推進構造
１１  外スリーブ
１１１  貫通孔
１１２  挿入ピン
１２  内インフレータ
１２０  収容空間
１２１  開口
１２２  吸気孔
１３  負圧可調システム
１３１  気流調整つまみ
１３２  気流調整螺子
１３３  定位バネ
【図１】
0003182341.tif 000003
【図２】
0003182341.tif 000004
【図３】
0003182341.tif 000005